(57)【要約】【解決すべき課題】情報処理装置を必要とせず、画像処理の専門的な知識も必要とせずに効果的な画像効果処理を加えて、一連の撮影画像を再生することができるデジタルカメラを提供すること。【課題を解決するための手段】画像記録部１４に記録された一連の撮影画像を再生する際、コマ間の切り替えに、エフェクト処理された画像を自動的に挿入するエフェクト処理部１７を設ける。そして、撮影画像とエフェクト処理された画像とを、外部の表示装置に出力する為、外部出力端子３に出力する。【選択図】    図４
2004228731.tif 000002
【特許請求の範囲】
【請求項１】
デジタルカメラであって、
撮像手段により被写体を撮像した撮影画像が記録される画像記録手段と、
前記画像記録手段に記録された一連の撮影画像の再生に際し、再生する撮影画像の１コマ目を検出するコマ検出手段と、
前記コマ検出手段の結果を受けて、画像効果処理された画像を、１コマ目の撮影画像の再生に先立って外部の表示装置に出力する画像効果処理手段と、
前記画像効果処理手段の出力を前記外部の表示装置に出力する為の画像出力端子と
を有することを特徴とするデジタルカメラ。
【請求項２】
デジタルカメラであって、
撮像手段により被写体を撮像した撮影画像が記録される画像記録手段と、
前記画像記録手段に記録された一連の撮影画像の再生に際し、再生する撮影画像の最終コマ目を検出するコマ検出手段と、
前記コマ検出手段の結果を受けて、画像効果処理された画像を、最終コマの撮影画像の再生後に外部の表示装置に出力する画像効果処理手段と、
前記画像効果処理手段の出力を前記外部の表示装置に出力する為の画像出力端子と
を有することを特徴とするデジタルカメラ。
【請求項３】
前記画像記録手段に記録された一連の撮影画像の再生に際し、再生する撮影画像のコマ間を検出するコマ間検出手段と、
前記コマ間検出手段の結果を受けて、コマ間の切り替えに画像効果処理された画像を挿入し、画像を出力する画像効果処理手段と
を更に有することを特徴とする請求項１又請求項２に記載のデジタルカメラ。
【請求項４】
前記画像効果処理手段は、一以上の画像効果処理が設定されており、予め設定された規則に基づいて画像効果処理する手段であり、ユーザが画像効果を選択することなく画像効果処理がされることを特徴とする請求項３に記載のデジタルカメラ。
【請求項５】
マイクと、
前記マイクから取得された音声が記録される音声記録手段と、
前記音声記録手段に記録された音声を、撮影画像の再生開始に先立って再生を開始する音声再生手段と、
前記音声出力手段の出力を外部の再生装置に出力する為の音声出力端子と
を有することを特徴とする請求項１から請求項４のいずれかに記載のデジタルカメラ。
【請求項６】
少なくとも１曲の音楽データが格納された音楽記録手段と、前記音楽記録手段に記録された音楽を、撮影画像の再生開始前又は再生時に出力する音楽出力手段と、
前記音楽出力手段の出力を外部の再生装置に出力する為の音楽出力端子と
を有することを特徴とする請求項１から請求項５のいずれかに記載のデジタルカメラ。
【請求項７】
撮影画像と合成されるフレーム画像が記憶されたフレーム画像記憶手段と、
前記画像記録手段に記録された一連の撮影画像を再生する際、前記撮影画像と前記フレーム画像とを合成する画像合成手段と
を有することを特徴とする請求項１から請求項６のいずれかに記載のデジタルカメラ。
【請求項８】
フレーム画像に関連する効果音が記憶された効果音記憶手段と、
撮影画像とフレーム画像とが合成された合成画像の再生に同期して、前記効果音を再生する効果音再生手段と
を有することを特徴とする請求項７に記載のデジタルカメラ。
【請求項９】
デジタルカメラであって、
撮像手段により被写体を撮像した撮影画像が記録される画像記録手段と、
前記画像記録手段に記録された一連の撮影画像を再生するに際し、画像効果処理された画像を１コマ目の撮影画像の再生に先立って出力し、画像効果処理された画像を最終コマの撮影画像の再生後に出力し、かつ、画像効果処理された画像を撮影画像の再生時のコマ間の切り替えに出力する画像効果処理手段と、
前記画像効果処理手段の出力を前記外部の表示装置に出力する為の画像出力端子と
を有することを特徴とするデジタルカメラ。
【請求項１０】
前記画像効果処理手段は、一以上の画像効果処理が設定されており、予め設定された規則に基づいて画像効果処理する手段であり、ユーザが画像効果を選択することなく画像効果処理がされることを特徴とする請求項１又は請求項９に記載のデジタルカメラ。
【請求項１１】
マイクと、
前記マイクから取得された音声が記録される音声記録手段と、
前記音声記録手段に記録された音声を、撮影画像の再生開始に先立って再生を開始する音声再生手段と、
前記音声出力手段の出力を外部の再生装置に出力する為の音声出力端子と
を有することを特徴とする請求項９又請求項１０に記載のデジタルカメラ。
【請求項１２】
デジタルカメラに内蔵される情報処理手段の為のプログラムであって、
前記プログラムは情報処理手段を、
記録された一連の撮影画像の再生に際し、再生する撮影画像の１コマ目を検出するコマ検出手段と、
前記コマ検出手段の結果を受けて、画像効果処理された画像を、１コマ目の撮影画像の再生に先立って外部の表示装置に出力する画像効果処理手段と
して機能させることを特徴とするプログラム。
【請求項１３】
デジタルカメラに内蔵される情報処理手段の為のプログラムであって、
前記プログラムは情報処理手段を、
記録された一連の撮影画像の再生に際し、再生する撮影画像の最終コマ目を検出するコマ検出手段と、
前記コマ検出手段の結果を受けて、画像効果処理された画像を、最終コマの撮影画像の再生後に外部の表示装置に出力する画像効果処理手段と
して機能させることを特徴とするプログラム。
【請求項１４】
前記プログラムは情報処理手段を、
記録された一連の撮影画像の再生に際し、再生する撮影画像のコマ間を検出するコマ間検出手段と、
前記コマ間検出手段の結果を受けて、コマ間の切り替えに画像効果処理された画像を挿入し、画像を出力する画像効果処理手段と
して更に機能させることを特徴とする請求項１２又請求項１３に記載のプログラム。
【請求項１５】
前記プログラムは情報処理手段を、複数の画像効果処理が設定されており、予め設定された規則に基づいて、前記複数の画像効果処理から選択して画像効果処理する画像効果処理手段として機能させ、ユーザが画像効果を選択することなく画像効果処理がされることを特徴とする請求項１４に記載のプログラム。
【請求項１６】
前記プログラムは情報処理手段を、
記録された音声を読み出して、一連の撮影画像の再生開始に先立って外部の再生装置で再生する手段として更に機能させることを特徴とする請求項１２から請求項１５のいずれかに記載のプログラム。
【請求項１７】
前記プログラムは情報処理手段を、少なくとも１曲の音楽データが格納された音楽記録手段から任意の音楽を読み出して、撮影画像の再生時に、外部の再生装置で再生する手段として機能させることを特徴とする請求項１２から請求項１６のいずれかに記載のプログラム
【請求項１８】
前記プログラムは情報処理手段を、記録された一連の撮影画像を再生する際、記録されているフレーム画像と前記撮影画像とを合成する画像合成手段として更に機能させることを特徴とする請求項１２から請求項１７のいずれかに記載のプログラム
【請求項１９】
前記プログラムは情報処理手段を、撮影画像とフレーム画像とが合成された合成画像の再生に同期して、前記フレーム画像に関連する効果音を再生する効果音再生手段として機能させることを特徴とする請求項１８に記載のプログラム。
【発明の詳細な説明】
【０００１】
【発明が属する技術分野】
本発明はデジタルカメラに関し、特にデジタルカメラで撮影した一連の撮影画像をテレビ等の外部の表示装置でスライドショーのように再生する際、ユーザに負担をかけずに演出効果のある再生を行うことができるデジタルカメラに関する。
【０００２】
【従来の技術】
近年、銀塩カメラのように現像の必要がなく、自宅でも印刷等ができるデジタルカメラが隆盛している。このデジタルカメラは、撮影画像を画像データとして持っているため、画像データをコンピュータに取り込んで画像効果を加えた後（エフェクト処理）、一連の撮影画像をスライドショーの如く、外部の表示装置で再生することが可能である。
【０００３】
【発明が解決しようとする課題】
しかしながら、画像データをコンピュータに取り込んだり、演出のためにエフェクト等の画像効果を加えたりする処理は、専門的な知識を必要としていた。
【０００４】
一方で、多くの人に、撮影した画像をスライドショーで手軽に見せたいという要望があった。特に、スライドショーの再生開始に先立つオープニングや、再生終了時のエンディングなどが演出されたスライドショーは効果的である。
【０００５】
そこで、本発明は上記課題に鑑みて発明されたものであって、その目的は、コンピュータ等の情報処理装置を必要とせず、更に、画像処理の専門的な知識も必要とせずに効果的な画像効果処理を加えて、外部の表示装置でスライドショーの如く一連の撮影画像を再生することができるデジタルカメラ及びこのデジタルカメラに搭載される情報処理手段のためのプログラムを提供することにある。
【０００６】
【課題を解決するための手段】
上記本発明の目的を達成する第１の発明は、デジタルカメラであって、
撮像手段により被写体を撮像した撮影画像が記録される画像記録手段と、
前記画像記録手段に記録された一連の撮影画像の再生に際し、再生する撮影画像の１コマ目を検出するコマ検出手段と、
前記コマ検出手段の結果を受けて、画像効果処理された画像を、１コマ目の撮影画像の再生に先立って外部の表示装置に出力する画像効果処理手段と、
前記画像効果処理手段の出力を前記外部の表示装置に出力する為の画像出力端子と
を有することを特徴とする。
【０００７】
上記本発明の目的を達成する第２の発明は、デジタルカメラであって、
撮像手段により被写体を撮像した撮影画像が記録される画像記録手段と、
前記画像記録手段に記録された一連の撮影画像の再生に際し、再生する撮影画像の最終コマ目を検出するコマ検出手段と、
前記コマ検出手段の結果を受けて、画像効果処理された画像を、最終コマの撮影画像の再生後に外部の表示装置に出力する画像効果処理手段と、
前記画像効果処理手段の出力を前記外部の表示装置に出力する為の画像出力端子と
を有することを特徴とする。
【０００８】
上記本発明の目的を達成する第３の発明は、上記第１、第２の発明において、前記画像記録手段に記録された一連の撮影画像の再生に際し、再生する撮影画像のコマ間を検出するコマ間検出手段と、
前記コマ間検出手段の結果を受けて、コマ間の切り替えに画像効果処理された画像を挿入し、画像を出力する画像効果処理手段と
を更に有することを特徴とする。
【０００９】
上記本発明の目的を達成する第４の発明は、上記第３の発明において、前記画像効果処理手段は、一以上の画像効果処理が設定されており、予め設定された規則に基づいて画像効果処理する手段であり、ユーザが画像効果を選択することなく画像効果処理がされることを特徴とする。
【００１０】
上記本発明の目的を達成する第５の発明は、上記第１、第２、第３及び第４の発明において、マイクと、
前記マイクから取得された音声が記録される音声記録手段と、
前記音声記録手段に記録された音声を、撮影画像の再生開始に先立って再生を開始する音声再生手段と、
前記音声出力手段の出力を外部の再生装置に出力する為の音声出力端子と
を有することを特徴とする。
【００１１】
上記本発明の目的を達成する第６の発明は、上記第１、第２、第３、第４及び第５の発明において、少なくとも１曲の音楽データが格納された音楽記録手段と、
前記音楽記録手段に記録された音楽を、撮影画像の再生開始前又は再生時に出力する音楽出力手段と、
前記音楽出力手段の出力を外部の再生装置に出力する為の音楽出力端子と
を有することを特徴とする。
【００１２】
上記本発明の目的を達成する第７の発明は、上記第１、第２、第３、第４、第５及び第６の発明において、撮影画像と合成されるフレーム画像が記憶されたフレーム画像記憶手段と、
前記画像記録手段に記録された一連の撮影画像を再生する際、前記撮影画像と前記フレーム画像とを合成する画像合成手段と
を有することを特徴とする。
【００１３】
上記本発明の目的を達成する第８の発明は、上記第７の発明において、フレーム画像に関連する効果音が記憶された効果音記憶手段と、
撮影画像とフレーム画像とが合成された合成画像の再生に同期して、前記効果音を再生する効果音再生手段と
を有することを特徴とする。
【００１４】
上記本発明の目的を達成する第９の発明は、デジタルカメラであって、
撮像手段により被写体を撮像した撮影画像が記録される画像記録手段と、
前記画像記録手段に記録された一連の撮影画像を再生するに際し、画像効果処理された画像を１コマ目の撮影画像の再生に先立って出力し、画像効果処理された画像を最終コマの撮影画像の再生後に出力し、かつ、画像効果処理された画像を撮影画像の再生時のコマ間の切り替えに出力する画像効果処理手段と、
前記画像効果処理手段の出力を前記外部の表示装置に出力する為の画像出力端子と
を有することを特徴とする。
【００１５】
上記本発明の目的を達成する第１０の発明は、上記第９の発明において、前記画像効果処理手段は、一以上の画像効果処理が設定されており、予め設定された規則に基づいて画像効果処理する手段であり、ユーザが画像効果を選択することなく画像効果処理がされることを特徴とする。
【００１６】
上記本発明の目的を達成する第１１の発明は、上記第９及び第１０の発明において、マイクと、
前記マイクから取得された音声が記録される音声記録手段と、
前記音声記録手段に記録された音声を、撮影画像の再生開始に先立って再生を開始する音声再生手段と、
前記音声出力手段の出力を外部の再生装置に出力する為の音声出力端子と
を有することを特徴とする。
【００１７】
上記本発明の目的を達成する第１２の発明は、デジタルカメラに内蔵される情報処理手段の為のプログラムであって、
前記プログラムは情報処理手段を、
記録された一連の撮影画像の再生に際し、再生する撮影画像の１コマ目を検出するコマ検出手段と、
前記コマ検出手段の結果を受けて、画像効果処理された画像を、１コマ目の撮影画像の再生に先立って外部の表示装置に出力する画像効果処理手段と
して機能させることを特徴とする。
【００１８】
上記本発明の目的を達成する第１３の発明は、デジタルカメラに内蔵される情報処理手段の為のプログラムであって、
前記プログラムは情報処理手段を、
記録された一連の撮影画像の再生に際し、再生する撮影画像の最終コマ目を検出するコマ検出手段と、
前記コマ検出手段の結果を受けて、画像効果処理された画像を、最終コマの撮影画像の再生後に外部の表示装置に出力する画像効果処理手段と
して機能させることを特徴とする。
【００１９】
上記本発明の目的を達成する第１４の発明は、上記第１２及び第１３の発明において、前記プログラムは情報処理手段を、
記録された一連の撮影画像の再生に際し、再生する撮影画像のコマ間を検出するコマ間検出手段と、
前記コマ間検出手段の結果を受けて、コマ間の切り替えに画像効果処理された画像を挿入し、画像を出力する画像効果処理手段と
して更に機能させることを特徴とする。
【００２０】
上記本発明の目的を達成する第１５の発明は、上記第１４の発明において、前記プログラムは情報処理手段を、複数の画像効果処理が設定されており、予め設定された規則に基づいて、前記複数の画像効果処理から選択して画像効果処理する画像効果処理手段として機能させ、ユーザが画像効果を選択することなく画像効果処理がされることを特徴とする。
【００２１】
上記本発明の目的を達成する第１６の発明は、上記第１２、第１３、第１４及び第１５の発明において、前記プログラムは情報処理手段を、
記録された音声を読み出して、一連の撮影画像の再生開始に先立って外部の再生装置で再生する手段として更に機能させることを特徴とする。
【００２２】
上記本発明の目的を達成する第１７の発明は、  上記第１２、第１３、第１４、第１５及び第１６の発明において、前記プログラムは情報処理手段を、少なくとも１曲の音楽データが格納された音楽記録手段から任意の音楽を読み出して、撮影画像の再生時に、外部の再生装置で再生する手段として機能させることを特徴とする。
【００２３】
上記本発明の目的を達成する第１８の発明は、上記第１２、第１３、第１４及、第１５及び第１６の発明において、前記プログラムは情報処理手段を、記録された一連の撮影画像を再生する際、記録されているフレーム画像と前記撮影画像とを合成する画像合成手段として更に機能させることを特徴とする。
【００２４】
上記本発明の目的を達成する第１９の発明は、上記第１８の発明において、前記プログラムは情報処理手段を、撮影画像とフレーム画像とが合成された合成画像の再生に同期して、前記フレーム画像に関連する効果音を再生する効果音再生手段として機能させることを特徴とする。
【００２５】
【発明の実施の形態】
本発明の第１の実施の形態を説明する。
【００２６】
本発明の第１の実施の形態の特徴は、コンピュータ等の情報処理装置を必要とせず、更に、画像処理の専門的な知識も必要とせずに、スライドショーの再生開始に先立つオープニングや、再生終了時のエンディングに画像効果処理（以下、エフェクト処理と言う）された画像を自動的に挿入し、演出されたスライドショーを再生できることを特徴とする。
【００２７】
更に、再生画像のコマ間にエフェクト処理された画像を自動挿入することにより、コマ間の切り替えを、より一層効果的な演出的なものにすることを特徴とする。
【００２８】
以下、第１の実施の形態の構成を説明する。
【００２９】
図１は本発明に係わるデジタルカメラの正面図であり、図２は本発明に係わるデジタルカメラの側面図であり、図３は本発明に係わるデジタルカメラの背面図である。
【００３０】
図中、１はレンズであり、２はファインダーであり、３は外部のテレビ等の表示装置にビデオ信号及び音声信号を出力する為の外部出力端子であり、４は機能を選択する為の選択部であり、５は選択部４で選択された機能が表示される表示部である。
【００３１】
次に、デジタルカメラの本体内部について説明する。
【００３２】
図４はデジタルカメラの内部の主要ブロック図である。
【００３３】
図４中、１１はＣＣＤ等から構成される撮像素子である。この撮像素子１１は、撮像処理が開始されると、受光面に結像された被写体像を、各受光センサにより入射光量に応じた量の信号電荷に変換する。各受光センサの信号電荷は、信号電荷の量に応じた電圧信号として順次撮像素子１１から出力される。
【００３４】
１２はプリアンプである。このプリアンプ１２は、撮像素子１１から出力された電圧信号に対して、相関二重サンプリング（ＣＤＳ）処理や、Ｒ，Ｇ，Ｂの各色信号に色分離処理、各色信号の信号レベルの調整（プリホワイトバランス処理）を行う。
【００３５】
１３はＡ／Ｄコンバータである。このＡ／Ｄコンバータ１３は、プリアンプ１２から出力された各色信号を、Ｒ，Ｇ，Ｂのデジタル信号に変換する。
【００３６】
１４は撮影された画像の画像データが記憶される画像記憶部である。この画像記録部１４には、画像データの他に、現在記録されている画像データの個数、すなわち現在記録されている撮影枚数も記憶される。
【００３７】
１５は制御部である。この制御部１５は、ユーザが選択部４から再生モードを選択すると、スライドショーの再生を後述する画像信号処理部１６に指示する。スライドショーの再生において、制御部１５は、画像記録部１４に格納されている画像データのファイル名の順番に（番号が若い順に）、ファイル名を画像信号処理部１６に与えて指示を行う。この指示は、撮影画像の再生時間を考慮して行われる。例えば、１コマの再生時間が５秒ならば、約５秒間隔で行われる。
【００３８】
また、制御部１５は内部にカウンタ２０を有し、カウンタ２０のカウント値と画像記録部１４に記憶されている画像データの個数とを比較しながら、後述するエフェクト処理部１７に画像効果処理の指示を与える。尚、カウンタ２０は、０からカウントアップを始め、画像記録部１４から指定のファイルを読み出す指示を画像信号処理部１６に与える毎に１カウントアップし、制御部１５の指示により０にリセットされる。
【００３９】
１６は画像信号処理部である。この画像信号処理部１６は、Ａ／Ｄコンバータ１３から出力されたＲ，Ｇ，Ｂのデジタル信号を、輝度信号及び色差信号に変換すると共に、ガンマ補正等の所要の処理を施す。これによって、所定形式の画像データが生成される。そして、一コマ分の画像データを、例えばＪＰＥＧ方式により圧縮し、圧縮した画像データを画像記憶部１４に記録する。このようにして記録された一コマ分の静止画の画像データには、撮影した順番に若い番号のファイル名が付けられ、ファイル名によって識別可能になる。また、画像信号処理部１６は、制御部１５より再生が指示された場合、与えられたファイル名に基づいて画像記憶部１４から画像データを読み出し、伸張処理して圧縮する前の画像データに復元する。
【００４０】
１７はエフェクト処理部である。このエフェクト処理部１７は、制御部１５の指示に基づいて、画像信号処理部１７から出力される画像データを利用して画像効果処理（以下、エフェクト処理という）を行い、エフェクト処理された画像を、一連の静止画の再生開始に先立って、また、再生の終了時に挿入するものである。
【００４１】
更に、このエフェクト処理部１８は、画像信号処理部１７から出力される画像データを利用して画像効果処理（以下、エフェクト処理という）を行い、エフェクト処理された画像を、一連の静止画のコマ間に挿入するものである。
【００４２】
エフェクト処理部１７で行われるエフェクト処理は、再生開始に先立って行われるフェードイン、再生終了時に行われるフェードアウト、コマ間の切り替えに行われるゲート及びワイプの四種類である。
【００４３】
フェードインは、図５に示されるように、スライトショー（一連の撮影画像の再生）開始時に行われ、徐々に画像が鮮明になっていく画像効果である。また、フェードアウトは、図６に示されるように、スライトショー終了時に行われ、徐々に画像が消えていく画像効果である。また、ゲートは、図７に示されるように、撮影画像のコマ間の切り替え時に行われ、画像を徐々に消していき次の画像を徐々に鮮明にしていく画像効果である。また、ワイプは、図８に示されるように、撮影画像のコマ間の切り替え時に行われ、現在の画像を徐々に次の画像に入れ替えていく画像効果である。
【００４４】
尚、エフェクト処理部１７は、再生開始時のフェードイン、再生終了時のフェードアウトを除いて、コマ間の切り替え時に行われるエフェクト処理については、ゲートとワイプとを交互に行うように設定されている。但し、これに限定されるものでなく、コマ間に行われるエフェクト処理の種類は、任意に変更可能である。
【００４５】
１８はＤ／Ａコンバータである。このＤ／Ａコンバータ１８は、エフェクト処理部１７から出力された画像データを、アナログ信号に変換する。
【００４６】
１９エンコーダである。このエンコーダ１９は、Ｄ／Ａコンバータ１８から出力されたアナログ信号を、例えば、ＮＴＳＣ方式のカラー複合映像信号に変換し、外部出力端子３からビデオ出力する。
【００４７】
次に、上述の構成におけるデジタルカメラの再生動作を説明する。
【００４８】
図９は再生動作（スライドショー）のフローチャート、図１０は再生動作（スライドショー）のタイムチャートである。
【００４９】
まず、ユーザは、選択部４のキーを押下して再生モードを表示部５に表示させる。そして、決定ボタンを押下して再生モードを決定する（Ｓｔｅｐ  １００）。
【００５０】
続いて、再生モードが選択されると、６秒間のブランク処理が行われる（Ｓｔｅｐ  １０１）。そして、制御部１５は、最も番号が若いファイル名を検索し、カウンタ２０を＋１カウントアップし、そのファイル名を与えて画像の復元を画像信号処理部１６に指示する（Ｓｔｅｐ  １０２）。
【００５１】
画像信号処理部１６では、与えられたファイル名を画像記憶部１４から画像データを読み出し、伸張処理して圧縮する前の画像データに復元する（Ｓｔｅｐ  １０３）。復元された画像データはエフェクト処理部１７に出力される。
【００５２】
制御部１５は、カウンタ２０のカウント値と、画像記憶部１４に記憶されているファイルの個数とを比較し、復元された画像データ（撮影画像）が最終コマであるのか、又は１コマ目であるのか、又はそれ以外のコマであるのかを判断する（Ｓｔｅｐ  １０４）。
【００５３】
カウンタ２０のカウント値と、画像記憶部１４に記憶されているファイルの個数とが一致する場合には、復元された画像データ（撮影画像）は最終コマである。又、カウンタ２０のカウント値が１である場合には、復元された画像データ（撮影画像）は１コマ目である。また、カウンタ２０のカウント値が、それ以外の値の場合には、復元された画像データ（撮影画像）はそれ以外のコマである。
【００５４】
復元された画像データ（撮影画像）が１コマ目ならば、制御部１５はエフェクト処理部１７にフェードインの処理の指示を行う（Ｓｔｅｐ  １０７）。
【００５５】
エフェクト処理部１７では、画像データに基づいて、所定時間、フェードインの処理が行われ（Ｓｔｅｐ  １０８）、その後に処理を中止して画像データがＤ／Ａコンバータ１８に出力される（Ｓｔｅｐ  １０９）。
【００５６】
Ｄ／Ａコンバータ１８では、エフェクト処理部１７から出力された画像データがアナログ信号に変換される（Ｓｔｅｐ  １１０）。このアナログ信号は、エンコーダ１９により、ＮＴＳＣ方式のカラー複合映像信号に変換され（Ｓｔｅｐ  １１１）、外部出力端子３からビデオ出力される（Ｓｔｅｐ  １１２）。
【００５７】
このような処理によれば、図１０に示される如く、６秒間のブランク表示後（黒い画面）、４秒間かけてフェードインの再生が行われ、オープニングが認知された後に通常の撮影画像の再生に移行し、撮影画像の再生が５秒間行われる。
【００５８】
一方、復元された画像データ（撮影画像）が１コマ目でなく、かつ、最終コマでない場合、制御部１５は、エフェクト処理部１７にコマ切り替えのエフェクト処理の指示を行う（Ｓｔｅｐ  １１３）。
【００５９】
エフェクト処理部１７では、指示に基づいて、連続する２つの画像データ（撮影画像）を用いて、所定時間、所定のエフェクト処理が行われ（Ｓｔｅｐ  １１４）、その後に処理を中止して画像データがＤ／Ａコンバータ１８に出力される（Ｓｔｅｐ  １１５）。
【００６０】
Ｄ／Ａコンバータ１８では、エフェクト処理部１７から出力された画像データがアナログ信号に変換される（Ｓｔｅｐ  １１０）。このアナログ信号は、エンコーダ１９により、ＮＴＳＣ方式のカラー複合映像信号に変換され（Ｓｔｅｐ  １１１）、外部出力端子３からビデオ出力される（Ｓｔｅｐ  １１２）。
【００６１】
このような処理によれば、図１０に示される如く、エフェクトの再生は３秒間かけて行われ、その後通常の撮影画像の再生が５秒間行われる。尚、本例では、二種類のエフェクトが用意されているが、この二種類のエフェクトを交互に行われる。
【００６２】
一方、復元された画像データ（撮影画像）が最終コマである場合、制御部１５は、エフェクト処理部１７にフェードアウトの画像処理の指示を行う（Ｓｔｅｐ
１１６）。
【００６３】
エフェクト処理部１７では、所定時間入力された画像データをＤ／Ａコンバータ１８に出力後（Ｓｔｅｐ  １１７）、所定時間、フェードアウトの処理を行い（Ｓｔｅｐ  １１８）、Ｄ／Ａコンバータ１９に出力する。
【００６４】
また、制御部１５は、カウンタ２０の値をリッセト、すなわち０に戻す（Ｓｔｅｐ  １１９）。
【００６５】
Ｄ／Ａコンバータ１８では、エフェクト処理部１７から出力された画像データがアナログ信号に変換される（Ｓｔｅｐ  １２０）。このアナログ信号は、エンコーダ１９により、ＮＴＳＣ方式のカラー複合映像信号に変換され（Ｓｔｅｐ  １２１）、外部出力端子３からビデオ出力される（Ｓｔｅｐ  １２２）。そして、一連の撮影画像の再生（スライドショー）が終了する（Ｓｔｅｐ  １２３）。
【００６６】
このような処理によれば、図１０に示される如く、通常の撮影画像の再生が５秒間行われた後、４秒間かけてフェードアウトの再生が行われ、エンディングであることが認知されて一連の撮影画像の再生（スライドショー）が終了する。
【００６７】
このように、本発明に係るデジタルカメラによれば、コンピュータ等の情報処理装置を必要とせず、更に、画像処理の専門的な知識も必要とせずに効果的な画像効果処理を加えてスライドショーを上演することができる。
【００６８】
尚、本実施の形態では、エフェクト処理部１７において、二つのエフェクト処理を交互に行うように構成したが、これに限らず、例えば、ゲート、ゲート、ワイプというような順序で設定しもよく、又、ランダムに行うように構成しても良い。
【００６９】
また、上述の説明では、スライドショーの開始時、終了時及びコマ間の切り替え時にエフェクト処理を行うようにしたが、これに限るものでなく、例えば、スライドショーの開始時のフェードイン、終了時のフェードアウトのみ行うようにしても良く、適時組み合わせて構成しても良い。
【００７０】
第２の実施の形態を説明する。
【００７１】
第２の実施の形態では、オープニング時にフェードインのような視覚的な認知だけでなく、撮影画像の再生に先立って撮影画像の内容等を解説するナレーションを再生する機能を第１の実施の形態に更に追加し、聴覚的にも演出するように構成したことを特徴とする。
【００７２】
図１１は第２の実施の形態のブロック図である。
【００７３】
図１１に示される如く、上述の機能を達成する為、マイクロホン２１と、アンプ２２と、Ａ／Ｄコンバータ２３と、音声信号処理部２４と、音声記録部２５と、Ｄ／Ａコンバータ２６と、アンプ２７とが追加されている。
【００７４】
次に、ナレーションの記録について説明する。
【００７５】
ナレーションの記録処理は、撮影画像の再生に先立って行われる。
【００７６】
まず、選択部１５によりナレーションの記録モードに設定されると、マイクロホン２１は、音声を検出して電気信号に変換する。この音声信号は、アンプ２２によって増幅された後、Ａ／Ｄコンバータ２３によってデジタル信号に変換され、音声データとして音声信号処理部２４に入力される。
【００７７】
選択部４により、記録終了が選択されると、制御部１５により、音声信号処理部２４に音声データの記録処理が指示される。これによって、音声信号処理部２４により、マイクロホン２１から取得された音声データは、例えばＭＰ３等の所定の方式によって圧縮される。そして、その圧縮した音声データは、音声記録部２５に記録される。
【００７８】
続いて、ナレーションの再生処理について説明する。
【００７９】
図１２は撮影画像の再生とナレーションの再生とのタイムチャートである。
【００８０】
まず、選択部４により撮影画像の再生モードに設定されると、音声信号処理部２４に対して制御部１５から音声データの再生の指示が与えられる。この指示は、撮影画像の再生に先立って行われ、図１２に示される如く、画像がブランク処理の段階から開始され、記録された音声の再生が終了するまで行われる（図１２では２０秒）。
【００８１】
音声信号処理部２４は、指示に基づいて、音声記録部２５から音声データを読み出し、読み出した音声データを伸張処理して圧縮前の音声データに復元する。復元された音声データは、Ｄ／Ａコンバータ２６に出力されてアナログ信号に変換された後、アンプ２７によって増幅され、外部出力端子３から音声出力される。
【００８２】
このような構成によれば、スライドショーのオープニングを聴覚的に認知することができる。
【００８３】
また、図１３に示す如く、音楽データが記憶された音楽記憶部３０を追加し、撮影画像の再生中に、ＢＧＭとして音楽を再生する機能を追加することも可能である。
【００８４】
第３の実施の形態を説明する。
【００８５】
第３の実施の形態は、第１、第２の実施の形態に加え、撮影画像のフレームとなるフレーム画像を、予めデジタルカメラ内に記憶しておき、一連撮影画像の再生（スライドショー）の際、撮影画像とフレーム画像とを合成して再生する機能を追加したことを特徴とする。
【００８６】
上記機能を達成する為、図１４に示す如く、フレーム画像が記憶されたフレーム画像記憶部４０と、撮影画像とフレーム画像とを合成する合成処理部４１とが新たに追加されている。
【００８７】
フレーム画像記憶部４０に記憶されているフレーム画像は、例えば、図１５に示される如く、撮影画像のフレームとなる画像であって、キャラクターの画像である。
【００８８】
また、合成処理部４１は、撮影画像とフレーム画像とを合成するものであって、例えば、図１６に示すような撮影画像があった場合、この画像と図１５のフレーム画像とを合成し、図１７のような合成画像を生成する。
【００８９】
このようにすれば、一連の撮影画像を再生する際に、より効果的な演出ができる。
【００９０】
尚、第２の実施の形態の音楽記憶部３０に、フレーム画像と関連するような効果音、例えば「パチパチ」といった拍手の効果音を記憶させておき、制御部１５から所定のタイミングで効果音を出力させるように音声信号処理部２４を制御するように構成すれば、より一層効果的な演出がカメラ単独で行える。
【００９１】
また、上述した第１、第２及び第３の実施の形態における制御部１５、画像信号処理部１６、エフェクト処理部１７、音声信号処理部２４、合成処理部４１等は、プログラムで動作するＣＰＵ等で構成しても良く、そのプログラムは上述した動作をＣＰＵに行わせる。
【００９２】
【発明の効果】
本発明によれば、コンピュータ等の情報処理装置を必要とせず、更に、画像処理の専門的な知識も必要とせずに効果的な画像効果処理を加えて、一連の撮影画像を再生（スライドショー）することができるという優れた効果を有する。
【００９３】
また、音声や、音楽を再生する機能や、フレーム画像と撮影画像とを合成して再生する機能を追加することにより、一層の演出効果を期待できる。
【図面の簡単な説明】
【図１】図１は本発明に係わるデジタルカメラの正面図である。
【図２】図２は本発明に係わるデジタルカメラの側面図である。
【図３】図３は本発明に係わるデジタルカメラの背面図である。
【図４】図４は第１の実施の形態にかかるデジタルカメラの内部の主要ブロック図である。
【図５】図５はエフェクト処理を説明する為の図である。
【図６】図６はエフェクト処理を説明する為の図である。
【図７】図７はエフェクト処理を説明する為の図である。
【図８】図８はエフェクト処理を説明する為の図である。
【図９】図９は再生動作（スライドショー）のフローチャートである。
【図１０】図１０は再生動作（スライドショー）のタイムチャートである。
【図１１】図１１は第２の実施の形態にかかるデジタルカメラのブロック図である。
【図１２】図１２は撮影画像の再生とナレーションの再生とのタイムチャートである。
【図１３】図１３は第２の実施の形態にかかるデジタルカメラのブロック図である。
【図１４】図１４は第３の実施の形態にかかるデジタルカメラのブロック図である。
【図１５】図１５はフレーム画像を説明する為の図である。
【図１６】図１６はフレーム画像と撮影画像との合成を説明する為の図である。
【図１７】図１７はフレーム画像と撮影画像との合成を説明する為の図である。
【符号の説明】
１      レンズ
２      ファインダー
３      外部出力端子
４      選択部
５      表示部
１１    撮像素子
１２    プリアンプ
１３    Ａ／Ｄコンバータ
１４    画像記憶部
１５    制御部
１６    画像信号処理部
１７    エフェクト処理部
１８    Ｄ／Ａコンバータ
１９    エンコーダ
２１    マイクロホン
２２    アンプ
２３    Ａ／Ｄコンバータ
２４    音声信号処理部
２５    音声記録部
２６    Ｄ／Ａコンバータ
２７    アンプ
３０    音楽記憶部
４０    フレーム画像記憶部
４１    合成処理部
【図１】
2004228731.tif 000003
【図２】
2004228731.tif 000004
【図３】
2004228731.tif 000005
【図４】
2004228731.tif 000006
【図５】
2004228731.tif 000007
【図６】
2004228731.tif 000008
【図７】
2004228731.tif 000009
【図８】
2004228731.tif 000010
【図９】
2004228731.tif 000011
【図１０】
2004228731.tif 000012
【図１１】
2004228731.tif 000013
【図１２】
2004228731.tif 000014
【図１３】
2004228731.tif 000015
【図１４】
2004228731.tif 000016
【図１５】
2004228731.tif 000017
【図１６】
2004228731.tif 000018
【図１７】
2004228731.tif 000019